(57)【要約】  冷媒回収管理システム（１００）は、依頼作成部（１１）と、報告作成部（１２）と、を備える。依頼作成部（１１）は、冷媒使用機器から回収された冷媒を、冷媒処理を行う冷媒処理者（Ｒ）に送るための、依頼データを作成する。報告作成部（１２）は、冷媒回収を管理する管理者（Ｍ）に報告するための、冷媒処理に関する、報告データを作成する。冷媒処理は、少なくとも、冷媒再生と、冷媒破壊と、冷媒破壊のための保管と、を含む。依頼データ及び報告データは、少なくとも冷媒量に関する情報を含む。
2019111877.tif 000002
【特許請求の範囲】
【請求項１】
冷媒使用機器から回収された冷媒を、冷媒処理を行う冷媒処理者に送るための、第１情報を作成する、第１作成部（１１）と、
冷媒回収を管理する管理者に報告するための、冷媒処理に関する、第２情報を作成する、第２作成部（１２）と、
を備える、冷媒回収管理システム（１００）。
【請求項２】
前記冷媒処理は、少なくとも、冷媒再生と、冷媒破壊と、冷媒破壊のための保管と、を含む、
請求項１に記載の冷媒回収管理システム（１００）。
【請求項３】
前記第１情報及び前記第２情報は、少なくとも冷媒量に関する情報、を含む、
請求項１又は２に記載の冷媒回収管理システム（１００）。
【請求項４】
前記第１情報は、前記冷媒処理者に送るための冷媒回収機器の識別に関する情報と、冷媒種類に関する情報と、をさらに含む、
請求項１から３のいずれか１項に記載の冷媒回収管理システム（１００）。
【請求項５】
前記第１情報は、回収された冷媒を前記冷媒処理者に送る冷媒回収者の識別に関する情報、をさらに含む、
請求項１から４のいずれか１項に記載の冷媒回収管理システム（１００）。
【請求項６】
前記第２情報は、冷媒処理をした前記冷媒処理者に関する情報、をさらに含む、
請求項１から５のいずれか１項に記載の冷媒回収管理システム（１００）。
【請求項７】
前記第１情報と前記第２情報との整合を判断する整合判断部（３１）、
をさらに備える、請求項１から６のいずれか１項に記載の冷媒回収管理システム（１００）。
【請求項８】
前記整合判断部（３１）の判断に基づいて、前記管理者が蓄える冷媒回収の対価のうちから、今回の冷媒回収の対価を割り当てる第１割当部（３２）、
をさらに備える、請求項７に記載の冷媒回収管理システム（１００）。
【請求項９】
前記第１割当部（３２）によって割り当てられた冷媒回収の対価を、前記冷媒回収者と前記冷媒処理者とに対しそれぞれ割り当てる、第２割当部（３３）、
をさらに備える、請求項８に記載の冷媒回収管理システム（１００）。
【発明の詳細な説明】
【技術分野】
【０００１】
冷媒回収を管理する冷媒回収管理システム
【背景技術】
【０００２】
冷蔵装置、冷凍装置又は空気調和装置に使用される冷媒を回収する冷媒回収装置は公知である。例えば、特許文献１（特開２０１７−７２２８４号公報）には、冷媒回収装置が開示されている。
【発明の概要】
【発明が解決しようとする課題】
【０００３】
冷媒回収について管理されていないという課題がある。
【課題を解決するための手段】
【０００４】
第１観点の冷媒回収管理システムは、第１作成部と、第２作成部と、を備える。第１作成部は、冷媒使用機器から回収された冷媒を、冷媒処理を行う冷媒処理者に送るための、第１情報を作成する。第２作成部は、冷媒回収を管理する管理者に報告するための、冷媒処理に関する、第２情報を作成する。【０００５】
第２観点の冷媒回収管理システムは、第１観点のシステムであって、冷媒処理は、少なくとも、冷媒再生と、冷媒破壊と、冷媒破壊のための保管と、を含む。【０００６】
第３観点の冷媒回収管理システムは、第１観点又は第２観点のシステムであって、第１情報及び第２情報は、少なくとも冷媒量に関する情報を含む。【０００７】
第４観点の冷媒回収管理システムは、第１観点から第３観点のいずれかのシステムであって、第１情報は、冷媒処理者に送るための冷媒回収機器の識別に関する情報と、冷媒種類に関する情報と、をさらに含む。【０００８】
第５観点の冷媒回収管理システムは、第１観点から第４観点のいずれかのシステムであって、第１情報は、回収された冷媒を冷媒処理者に送る冷媒回収者の識別に関する情報をさらに含む。【０００９】
第６観点の冷媒回収管理システムは、第１観点から第５観点のいずれかのシステムであって、第２情報は、冷媒処理をした冷媒処理者に関する情報をさらに含む。【００１０】
第７観点の冷媒回収管理システムは、第１観点から第６観点のいずれかのシステムであって、整合判断部をさらに備える。整合判断部は、第１情報と第２情報との整合を判断する。【００１１】
第８観点の冷媒回収管理システムは、第７観点のシステムであって、第１割当部をさらに備える。第１割当部は、整合判断部の判断に基づいて、管理者が蓄える冷媒回収の対価のうちから、今回の冷媒回収の対価を割り当てる。【００１２】
第９観点の冷媒回収管理システムは、第８観点のシステムであって、第２割当部をさらに備える。第２割当部は、第１割当部によって割り当てられた冷媒回収の対価を、冷媒回収者と冷媒処理者とに対しそれぞれ割り当てる。
【図面の簡単な説明】
【００１３】
【図１】冷媒回収管理システムの構成を示す模式図。
【図２】回収サーバ及び管理サーバの構成を示す別の模式図。
【図３】依頼データを示すテーブル。
【図４】報告データを示すテーブル。
【図５】変形例１Ａの冷媒回収管理システムの構成を示す模式図。
【図６】変形例１Ｂの冷媒回収管理システムの構成を示す模式図。
【図７】変形例１Ｃの冷媒回収管理システムの構成を示す模式図。
【図８】変形例１Ｄの冷媒回収管理システムの構成を示す模式図。
【発明を実施するための形態】
【００１４】
＜冷媒回収管理システム＞
（１）全体構成
図１を用いて、冷媒回収管理システム１００の構成について説明する。なお、図１では、冷媒回収管理システム１００の構成を模式図によって表している。
【００１５】
本実施形態の冷媒回収管理システム１００は、国又は地域において、冷媒回収の管理を行うシステムである。地域とは、例えば、都道府県レベルの広い地域であっても良く、市町村レベルの狭い地域であっても良い。
【００１６】
冷媒回収とは、冷媒使用機器から冷媒を回収し、冷媒処理を行うことをいう。冷媒使用機器とは、冷蔵装置、冷凍装置又は空気調和装置等の冷媒を用いる機器のことをいう。冷媒処理とは、冷媒の再生、冷媒の破壊、冷媒の破壊のための保管を含む。冷媒とは、特定フロン、代替フロン又は新冷媒等の冷媒を含む。
【００１７】
冷媒回収管理システム１００を有する国又は地域は、冷媒回収者Ｃと、冷媒処理者Ｒと、管理者Ｍと、を有する。冷媒回収管理システム１００は、冷媒回収者Ｃが有する回収サーバ１０と、冷媒処理者Ｒが有する処理サーバ２０と、管理者Ｍが有する管理サーバ３０と、これらを接続するネットワークと、によって構成される。
【００１８】
回収サーバ１０、処理サーバ２０及び管理サーバ３０は、サーバーコンピューターであって、データの蓄積、データの処理、ネットワークの中継又はネットワークの管理等の作業を行う。
【００１９】
冷媒回収者Ｃは、ユーザーが使用する冷媒使用機器から冷媒を回収する団体又は個人である。冷媒回収者Ｃは、例えば、据付業者、設備業者又はメーカーのサービスマン等であっても良い。なお、本実施形態では、一の冷媒回収者Ｃについて説明するが、冷媒回収管理システム１００は、冷媒回収者Ｃを複数有しても良い。
【００２０】
冷媒回収者Ｃは、ユーザーが所有する冷媒使用機器の廃棄、修理又は据え付け等の際に、冷媒使用機器から冷媒を回収する。そして、冷媒回収者Ｃは、ユーザーから回収した冷媒を冷媒回収機器としてのボンベに充填し、回収冷媒を充填したボンベを冷媒処理者Ｒに送る。このとき、冷媒回収者Ｃの回収サーバ１０は、冷媒処理者Ｒの処理サーバ２０に向けて、冷媒処理に関する第１情報としての依頼データを送信する。また、冷媒回収者Ｃの回収サーバ１０は、管理者Ｍの管理サーバ３０に向けて、冷媒処理に関する第２情報としての報告データを送信する。依頼データ及び報告データについて詳しくは後述する。
【００２１】
冷媒処理者Ｒは、回収冷媒について冷媒処理を行う団体又は個人である。冷媒処理者Ｒは、冷媒の再生、冷媒の破壊、冷媒の破壊のための保管のうち、少なくとも一つの処理を行う。冷媒処理者Ｒは、例えば、産業廃棄物処理業者、資源リサイクル業者又はメーカーの冷媒処理部門であっても良い。なお、本実施形態では、一の冷媒処理者Ｒについて説明するが、冷媒回収管理システム１００は、冷媒処理者Ｒを複数有しても良い。
【００２２】
冷媒処理者Ｒは、冷媒回収者Ｃから送られた回収冷媒を冷媒処理する。冷媒処理者Ｒが冷媒回収者Ｃから送られた回収冷媒を冷媒処理後に、冷媒処理者Ｒの処理サーバ２０は、管理者Ｍの管理サーバ３０に向けて、第１情報としての依頼データを転送する。また、冷媒処理者Ｒは、冷媒処理が終了した冷媒が充填していたボンベ（空ボンベ）を冷媒回収者Ｃに送る。
【００２３】
管理者Ｍは、国又は地域において、冷媒回収の対価を支払う団体又は個人である。管理者Ｍは、例えば、国又は地方公共団体の一機関等であっても良い。管理者Ｍは、冷媒回収資金を蓄える。冷媒回収資金とは、例えば、国又は地域において、毎年予算として割り当てられる、冷媒回収の対価として支払うための資金である。管理サーバ３０は、冷媒回収者Ｃから送信される報告データと、冷媒処理者Ｒから転送される依頼データとの整合を判断し、判断結果に基づいて、冷媒回収者Ｃと冷媒処理者Ｒとのそれぞれに冷媒回収の対価を算出する。
【００２４】
なお、冷媒回収者Ｃは、ボンベを所有する。つまり、冷媒回収者Ｃは、所有するボンベにユーザーから回収した冷媒を充填し、回収冷媒を充填したボンベを冷媒処理者Ｒに送る。そして、冷媒処理者Ｒは、ボンベに充填された冷媒を冷媒処理した後に、空ボンベを冷媒回収者に返却する。ボンベには、タグが付され、タグにはボンベの識別番号（ボンベＩＤ）が記載される。
【００２５】
冷媒処理が冷媒の再生の場合には、冷媒処理者Ｒは、再生された冷媒が充填されたボンベを冷媒充填者に送る。冷媒充填者は、国又は地域において、再生された冷媒をユーザーの冷媒使用機器に充填する団体又は個人である。この場合には、冷媒回収者Ｃと冷媒充填者とが同一でも良い。
【００２６】
なお、冷媒充填者は、再生冷媒を有さない、再生冷媒の品質が良くない、又は再生冷媒の価格が高い等の場合には、冷媒販売者から新しい冷媒を購入して冷媒充填を行う。冷媒販売者は、新しい冷媒の輸入及び販売を行なう団体又は個人である。
【００２７】
（２）詳細構成
（２−１）回収サーバおよび処理サーバ
図２を用いて、回収サーバ１０および処理サーバ３０について説明する。なお、図２では、回収サーバ１０の構成を模式図によって表している。
【００２８】
回収サーバ１０は、冷媒回収者Ｃが有するサーバーコンピューターである。回収サーバ１０は、第１作成部としての依頼作成部１１と、第２作成部としての報告作成部１２と、を有する。
【００２９】
依頼作成部１１は、第１情報としての依頼データを作成する。依頼作成部１１によって作成された依頼データは、回収サーバ１０から処理サーバ２０に送信される。
【００３０】
処理サーバ２０は、回収サーバ１０から送信された依頼データによる冷媒処理を行なった後に、回収サーバ１０から送信された依頼データを管理サーバ３０に転送する。処理サーバ２０から管理サーバ３０への依頼データの転送は、冷媒処理者Ｒによる冷媒処理の後に実行されるため、処理サーバ２０から依頼データを受信した管理サーバ３０では、依頼データにある冷媒の処理が全て完了したというフラグを立てる。このように、ここでは、回収サーバ１０から処理サーバ２０へと送信された依頼データが、そのまま処理サーバ２０から管理サーバ３０へと転送される。しかし、処理サーバ２０から管理サーバ３０への依頼データの転送前に、処理サーバ２０において冷媒処理が完了したことを示す情報を依頼データに付け加え、その依頼データが処理サーバ２０から管理サーバ３０へと転送される形を採ることもできる。
【００３１】
回収サーバ１０の報告作成部１２は、報告データを作成する。報告作成部１２によって作成された報告データは、管理サーバ３０に送信される。
【００３２】
（２−２）管理サーバ
図２を用いて、管理サーバ３０の構成について説明する。なお、図２では、管理サーバ３０の構成を模式図によって表している。
【００３３】
管理サーバ３０は、管理者Ｍが有するサーバーコンピューターである。管理サーバ３０は、整合判断部３１と、第１割当部としての資金割当部３２と、第２割当部としての対価割当部３３と、を有する。
【００３４】
整合判断部３１は、回収サーバ１０から送信された報告データと、処理サーバ２０から転送された依頼データとの整合を判断する。例えば、報告データと依頼データとを比較して、依頼データの冷媒回収者Ｃの冷媒回収者ＩＤと報告データを送信した冷媒回収者Ｃの冷媒回収者ＩＤとが一致するかどうか、依頼データの転送元である冷媒処理者Ｒの冷媒処理者ＩＤと報告データの冷媒処理者Ｒの冷媒処理者ＩＤとが一致するかどうか、報告データの冷媒種類と依頼データの冷媒種類とが一致するかどうか、報告データの冷媒重量と依頼データの冷媒重量とが一致するかどうかを判断する。
【００３５】
資金割当部３２は、整合判断部３１の整合判断に基づいて、管理者Ｍが有する冷媒回収資金のうちから、今回の冷媒回収の対価を割り当てる。例えば、資金割当部３２は、整合判断部３１にて報告データと依頼データとが整合すると判断された場合は、今年の目標冷媒回収量に対する今回の冷媒回収量の割合を算出し、冷媒回収資金の当該割合を今回の冷媒回収の対価とする。なお、管理者Ｍが有する冷媒回収資金とは、例えば、国や公共団体が管理者Ｍである場合には、国からの補助金や、冷媒回収を促進するための基金である。
【００３６】
対価割当部３３は、資金割当部３２によって割り当てられた今回の冷媒回収の対価を、冷媒回収者Ｃに支払う対価と、冷媒処理者Ｒに支払う対価と、にそれぞれに割り当てる。冷媒回収者Ｃに支払う対価と冷媒処理者Ｒに支払う対価との割合は、例えば、国又は地域によって一律であっても良いし、冷媒回収者Ｃと冷媒処理者Ｒとの組み合わせによって異なるものであっても良い。
【００３７】
（２−３）依頼データ
図３を用いて、依頼データについて説明する。なお、図３では、依頼データをテーブルによって表している。
【００３８】
第１情報としての依頼データは、冷媒回収者Ｃによって冷媒使用機器から回収された冷媒を、冷媒回収者Ｃから冷媒処理者Ｒに送るためのデータである。依頼データは、冷媒回収者Ｃによって、冷媒回収の作業後に、回収サーバ１０において入力される。具体的には、回収サーバ１０で実行されるデータ入力用のプログラムによって、冷媒種類の選択画面、冷媒重量の数値入力画面、ボンベＩＤの選択画面、回収日時の選択画面、などが冷媒回収者Ｃの各作業者に提示される。そして、入力された内容が、入力者のＩＤ（冷媒回収者ＩＤ）と関連づけられて、図３に示すような依頼データとなる。依頼データは、電子データとして、回収サーバ１０から処理サーバ２０に送信される。冷媒処理者Ｒは、送信された依頼データに基づいて、冷媒処理を行う。
【００３９】
依頼データは、冷媒処理を依頼する冷媒が充填されたボンベについての、冷媒種類と、冷媒量に関する情報としての冷媒重量（単位はキログラム）と、冷媒回収機器の識別に関する情報としてのボンベの識別番号（ボンベＩＤ）と、実際に冷媒回収を行った回収日時と、冷媒回収者Ｃの識別に関する情報としての冷媒回収者Ｃの識別番号（冷媒回収者ＩＤ）と、を含む。
【００４０】
依頼データは、実際に回収冷媒が送られる以前に、回収サーバ１０から処理サーバ２０に送信されることが好ましい。また、依頼データは、依頼毎（回収冷媒を充填したボンベ毎）に、回収サーバ１０から処理サーバ２０に送信されても良いし、日毎に、回収サーバ１０から処理サーバ２０に送信されても良い。
【００４１】
（２−４）報告データ
図４を用いて、報告データについて説明する。なお、図４では、報告データをテーブルによって表している。
【００４２】
第２情報としての報告データは、管理者Ｍに報告するための、冷媒処理に関するデータである。報告データは、電子データとして、回収サーバ１０から管理サーバ３０に送信される。管理者Ｍは、報告データに基づいて、冷媒回収資金から冷媒回収の対価を支払う。
【００４３】
報告データは、冷媒回収者Ｃが冷媒処理者Ｒに冷媒処理を依頼した冷媒についての、冷媒種類と、冷媒量に関する情報としての冷媒重量（単位はキログラム）と、冷媒の再生、冷媒の破壊又は冷媒の破壊のための保管のうちのいずれかである処理方法と、冷媒処理が行なわれた日時である処理日時と、冷媒処理を行なった冷媒処理者Ｒの識別に関する情報としての冷媒処理者Ｒの識別番号（冷媒処理者ＩＤ）と、を含む。報告データは、冷媒処理者Ｒによる冷媒処理が実行された後、冷媒回収者Ｃによって作成されてもよいし、冷媒回収者Ｃが冷媒処理者Ｒに冷媒処理を依頼するタイミングで作成されてもよい。
【００４４】
報告データは、依頼データが回収サーバ１０から処理サーバ２０に送信されるのと略同時に、回収サーバ１０から管理サーバ３０に送られることが好ましい。また、報告データは、依頼毎（回収冷媒を充填したボンベ毎）に、回収サーバ１０から管理サーバ３０に送信されても良いし、日毎に、回収サーバ１０から管理サーバ３０に送信されても良い。
【００４５】
（３）効果
このような構成とすることで、冷媒回収者Ｃは、冷媒処理を依頼した回収冷媒について対価を受け取ることができる。同時に、冷媒処理者Ｒは、冷媒処理を行う回収冷媒について対価を受け取ることができる。そして、管理者Ｍは、実際に冷媒処理が行われた回収冷媒についてのみ対価を支払うことができる。
【００４６】
このようにして、国又は地域において、冷媒処理を含めた冷媒回収が管理され、オゾン層の破壊が回避され、ひいては、地球温暖化に悪影響を及ぼすことが回避される。
【００４７】
（４）特徴
（４−１）
冷蔵装置、冷凍装置又は空気調和装置に使用される冷媒を回収する冷媒回収装置は公知である。しかし、このような冷媒回収について管理されていないという課題がある。
【００４８】
冷媒回収管理システム１００は、依頼作成部１１と、報告作成部１２と、を備える。依頼作成部１１は、冷媒使用機器から回収された冷媒を、冷媒処理を行う冷媒処理者Ｒに送るための、依頼データを作成する。報告作成部１２は、冷媒回収を管理する管理者Ｍに報告するための、冷媒処理に関する、報告データを作成する。
【００４９】
このようにして、冷媒回収が管理され、オゾン層の破壊が回避され、ひいては、地球温暖化に悪影響を及ぼすことが回避される。
【００５０】
（４−２）
冷媒回収管理システム１００において、冷媒処理は、少なくとも、冷媒再生と、冷媒破壊と、冷媒破壊のための保管と、を含む。
【００５１】
（４−３）
冷媒回収管理システム１００において、依頼データ及び報告データは、少なくとも冷媒量に関する情報を含む。
【００５２】
（４−４）
冷媒回収管理システム１００において、依頼データは、冷媒処理者Ｒに送るための冷媒回収機器（ボンベ）の識別に関する情報と、冷媒種類に関する情報と、をさらに含む。
【００５３】
（４−５）
冷媒回収管理システム１００において、依頼データは、回収された冷媒を冷媒処理者Ｒに送る冷媒回収者Ｃの識別に関する情報をさらに含む。
【００５４】
（４−６）
冷媒回収管理システム１００において、報告データは、冷媒処理をした冷媒処理者Ｒに関する情報をさらに含む。
【００５５】
（４−７）
冷媒回収管理システム１００は、整合判断部３１をさらに備える。整合判断部３１は、依頼データと報告データとの整合を判断する。
【００５６】
（４−８）
冷媒回収管理システム１００は、資金割当部３２をさらに備える。資金割当部３２は、整合判断部３１の判断を管理者Ｍに報告し、判断に基づいて、管理者Ｍが蓄える冷媒回収の対価のうちから、今回の冷媒回収の対価を割り当てる。
【００５７】
（４−９）
冷媒回収管理システム１００は、対価割当部３３をさらに備える。対価割当部３３は、資金割当部３２によって割り当てられた冷媒回収の対価を、冷媒回収者Ｃと冷媒処理者Ｒとに対しそれぞれ割り当てる。
【００５８】
（５）変形例
（５−１）変形例１Ａ
図５を用いて、変形例１Ａの冷媒回収管理システム２００について説明する。なお、図５では、冷媒回収管理システム２００の構成を模式図によって表している。
【００５９】
冷媒回収管理システム２００を有する国又は地域は、冷媒回収者Ｃと、冷媒処理者Ｒと、管理者Ｍと、を有する。冷媒回収者Ｃ、冷媒処理者Ｒ及び管理者Ｍの役割については、実施形態と同様であるため、説明を省略する。また、回収冷媒が充填したボンベの流れ、対価の流れについては、実施形態と同様であるため、説明を省略する。
【００６０】
冷媒回収管理システム２００は、冷媒回収者Ｃが有する回収サーバ２１０のみで構成される。回収サーバ２１０は、データの蓄積、データの処理、ネットワークの中継又はネットワークの管理等の作業を行う。回収サーバ２１０は、管理サーバ２３０にネットワークによって接続されている。
【００６１】
回収サーバ２１０は、第１作成部としての依頼作成部２１１と、第２作成部としての報告作成部２１２と、整合判断部２１３と、第１割当部としての資金割当部２１４と、第２割当部としての対価割当部２１５と、を有する。依頼作成部２１１及び報告作成部２１２については、実施形態と同様に、回収サーバ２１０が有するため、説明を省略する。
【００６２】
整合判断部２１３は、依頼作成部２１１にて作成された第１情報としての依頼データと、報告作成部２１２にて作成された第２情報としての報告データとの整合を判断する。
【００６３】
資金割当部２１４は、整合判断部２１３の整合判断に基づいて、管理サーバ２３０から送信される冷媒回収資金に関する情報としての冷媒回収資金データのうちから、今回の冷媒回収の対価を割り当てる。
【００６４】
対価割当部２１５は、資金割当部２１４によって割り当てられた今回の冷媒回収の対価を、冷媒回収者Ｃに支払う対価と、冷媒処理者Ｒに支払う対価と、にそれぞれに割り当てる。対価の割当に関する情報としての対価データは、管理サーバ２３０に送信される。
【００６５】
このような構成とすることで、冷媒回収者Ｃが有する回収サーバ２１０のみで冷媒回収管理システム２００を実現することができる。
【００６６】
（５−２）変形例１Ｂ
図６を用いて、変形例１Ｂの冷媒回収管理システム３００について説明する。なお、図６では、冷媒回収管理システム３００の構成を模式図によって表している。
【００６７】
冷媒回収管理システム３００を有する国又は地域は、冷媒回収者Ｃと、冷媒処理者Ｒと、管理者Ｍと、を有する。冷媒回収者Ｃ、冷媒処理者Ｒ及び管理者Ｍの役割については、実施形態と同様であるため、説明を省略する。また、回収冷媒が充填したボンベの流れ、対価の流れについては、実施形態と同様であるため、説明を省略する。
【００６８】
冷媒回収管理システム３００は、冷媒処理者Ｒが有する処理サーバ３２０のみで構成される。処理サーバ３２０は、データの蓄積、データの処理、ネットワークの中継又はネットワークの管理等の作業を行う。処理サーバ３２０は、回収サーバ３１０と、管理サーバ３３０と、のそれぞれにネットワークによって接続されている。
【００６９】
処理サーバ３２０は、第１作成部としての依頼作成部３２１と、第２作成部としての報告作成部３２２と、整合判断部３２３と、第１割当部としての資金割当部３２４と、第２割当部としての対価割当部３２５と、を有する。
【００７０】
依頼作成部３２１は、回収サーバ３１０から送信される回収データに基づいて、第１情報としての依頼データを作成する。回収データは、実施形態における依頼データに含まれる項目が含まれるデータである。
【００７１】
報告作成部３２２は、回収サーバ３１０から送信される回収データに基づいて、第２情報としての報告データを作成する。作成された報告データは、処理サーバ３２０から管理サーバ３３０に送信される。
【００７２】
整合判断部３２３は、依頼作成部３２１にて作成された依頼データと、報告作成部３２２にて作成された報告データとの整合を判断する。
【００７３】
資金割当部３２４は、整合判断部３２３の整合判断に基づいて、管理サーバ３３０から送信される冷媒回収資金に関する情報としての冷媒回収資金データのうちから、今回の冷媒回収の対価を割り当てる。
【００７４】
対価割当部３２５は、資金割当部３２４によって割り当てられた今回の冷媒回収の対価を、冷媒回収者Ｃに支払う対価と、冷媒処理者Ｒに支払う対価と、にそれぞれに割り当てる。対価の割当に関する情報としての対価データは、管理サーバ３３０に送信される。
【００７５】
このような構成とすることで、冷媒処理者Ｒが有する処理サーバ３２０のみで冷媒回収管理システム３００を実現することができる。
【００７６】
（５−３）変形例１Ｃ
図７を用いて、変形例１Ｃの冷媒回収管理システム４００について説明する。なお、図７では、冷媒回収管理システム４００の構成を模式図によって表している。
【００７７】
冷媒回収管理システム４００を有する国又は地域は、冷媒回収者Ｃと、冷媒処理者Ｒと、管理者Ｍと、を有する。冷媒回収者Ｃ、冷媒処理者Ｒ及び管理者Ｍの役割については、実施形態と同様であるため、説明を省略する。また、回収冷媒が充填したボンベの流れ、対価の流れについては、実施形態と同様であるため、説明を省略する。
【００７８】
冷媒回収管理システム４００は、管理者Ｍが有する管理サーバ４３０のみで構成される。管理サーバ４３０は、データの蓄積、データの処理、ネットワークの中継又はネットワークの管理等の作業を行う。管理サーバ４３０は、回収サーバ４１０と、処理サーバ４２０と、のそれぞれにネットワークによって接続されている。
【００７９】
管理サーバ４３０は、第１作成部としての依頼作成部４３１と、第２作成部としての報告作成部４３２と、整合判断部４３３と、第１割当部としての資金割当部４３４と、第２割当部としての対価割当部４３５と、を有する。整合判断部４３３、資金割当部４３４及び対価割当部４３５については、実施形態と同様に、管理サーバ４３０が有するため、説明を省略する。
【００８０】
依頼作成部４３１は、回収サーバ４１０から送信される回収データに基づいて、第１情報としての依頼データを作成する。回収データは、実施形態における依頼データに含まれる項目が含まれるデータである。
【００８１】
報告作成部４３２は、回収サーバ４１０から送信される回収データに基づいて、第２情報としての報告データを作成する。
【００８２】
また、処理サーバ４２０から管理サーバ４３０には、処理データが送信される。処理データは、実施形態における冷媒処理後に処理サーバ２０から管理サーバ３０に転送される依頼データに含まれる項目が含まれるデータである。
【００８３】
このような構成とすることで、管理者Ｍが有する管理サーバ４３０のみで冷媒回収管理システム４００を実現することができる。
【００８４】
（５−４）変形例１Ｄ
図８を用いて、変形例１Ｄの冷媒回収管理システム５００について説明する。なお、図８では、冷媒回収管理システム５００の構成を模式図によって表している。
【００８５】
冷媒回収管理システム５００を有する国又は地域は、冷媒回収者Ｃと、冷媒処理者Ｒと、管理者Ｍと、監督者Ｐと、を有する。冷媒回収者Ｃ、冷媒処理者Ｒ及び管理者Ｍの役割については、実施形態と同様であるため、説明を省略する。また、回収冷媒が充填したボンベの流れ、対価の流れについては、実施形態と同様であるため、説明を省略する。
【００８６】
監督者Ｐは、冷媒回収者Ｃ、冷媒処理者Ｒ、管理者Ｍを監督する団体又は個人である。監督者Ｐは、例えば、国又は地方公共団体の一機関であっても良い。監督者Ｐは、監督サーバ５４０を有する。
【００８７】
冷媒回収管理システム５００は、監督者Ｐが有する監督サーバ５４０のみで構成される。監督サーバ５４０は、データの蓄積、データの処理、ネットワークの中継又はネットワークの管理等の作業を行う。監督サーバ５４０は、回収サーバ５１０と、処理サーバ５２０と、管理サーバ５３０と、のそれぞれにネットワークによって接続されている。
【００８８】
監督サーバ５４０は、第１作成部としての依頼作成部５４１と、第２作成部としての報告作成部５４２と、整合判断部５４３と、第１割当部としての資金割当部５４４と、第２割当部としての対価割当部５４５と、を有する。
【００８９】
依頼作成部５４１は、回収サーバ５１０から送信される回収データに基づいて、第１情報としての依頼データを作成する。回収データは、実施形態における依頼データに含まれる項目が含まれるデータである。作成された依頼データは、監督サーバ５４０から処理サーバ５２０に送信される。
【００９０】
報告作成部５４２は、回収サーバ５１０から送信される回収データに基づいて、第２情報としての報告データを作成する。作成された報告データは、監督サーバ５４０から管理サーバ５３０に送信される。
【００９１】
整合判断部５４３は、依頼作成部５４１にて作成された依頼データと、報告作成部５４２にて作成された報告データとの整合を判断する。
【００９２】
資金割当部５４４は、整合判断部５４３の整合判断に基づいて、管理サーバ５３０から送信される冷媒回収資金に関する情報としての冷媒回収資金データのうちから、今回の冷媒回収の対価を割り当てる。
【００９３】
対価割当部５４５は、資金割当部５４４によって割り当てられた今回の冷媒回収の対価を、冷媒回収者Ｃに支払う対価と、冷媒処理者Ｒに支払う対価と、にそれぞれに割り当てる。対価の割当に関する情報としての対価データは、管理サーバ５３０に送信される。
【００９４】
このような構成とすることで、回収サーバ５１０、処理サーバ５２０及び管理サーバ５３０とは別のサーバを用いて、冷媒回収管理システム５００を実現することができる。
【００９５】
（５−５）その他変形例
実施形態及び変形例１Ａ〜１Ｄでは、冷媒回収者Ｃがボンベを所有する構成としたが、冷媒処理者Ｒがボンベを所有する構成であっても良い。その場合には、冷媒処理者Ｒは、冷媒回収用の空ボンベを冷媒回収者Ｃに貸与し、ユーザーの冷媒使用機器から回収された冷媒が充填されたボンベを冷媒回収者Ｃから回収する。また、冷媒処理者Ｒは、再生冷媒を充填したボンベを冷媒充填者に貸与し、ユーザーの冷媒使用機器へ再生冷媒が充填されて空になったボンベを冷媒充填者から回収する。なお、この場合も、冷媒回収者Ｃと冷媒充填者とは同一であっても良い。
【００９６】
実施形態及び変形例１Ａ〜１Ｄでは、国又は地域において、冷媒回収資金が毎年予算として割り当てられる構成としたが、管理者Ｍが冷媒販売者から冷媒回収資金を徴収する構成としても良い。
【００９７】
実施形態及び変形例１Ａ〜１Ｄでは、サーバ同士をネットワークで接続してデータの送受信をする構成としたが、一方が他方のサーバにアクセス可能な構成としても良い。例えば、実施形態の冷媒回収管理システム１００において、冷媒回収者Ｃが処理サーバ２０又は管理サーバ３０にアクセス可能な構成としても良い。
【００９８】
実施形態及び変形例１Ａ〜１Ｄでは、管理者Ｍから冷媒回収者Ｃと冷媒処理者Ｒとのそれぞれに対価が支払われる構成としたが、管理者Ｍから冷媒回収者Ｃに冷媒処理者Ｒの対価も含めて対価が支払われ、その後、冷媒回収者Ｃから冷媒処理者Ｒに対価が支払われる構成としても良い。
【００９９】
実施形態及び変形例１Ａ〜１Ｄでは、依頼作成部及び報告作成部は、電子データを作成する構成としたが、伝票のような紙データを発行する構成としても良い。例えば、実施形態の冷媒回収管理システム１００において、依頼作成部１１が依頼伝票を作成し、回収冷媒が充填されたボンベに依頼伝票を付して冷媒処理者Ｒに送られる構成としても良い。
【０１００】
以上、本開示の実施形態を説明したが、特許請求の範囲に記載された本開示の趣旨及び範囲から逸脱することなく、形態や詳細の多様な変更が可能なことが理解されるであろう。
【産業上の利用可能性】
【０１０１】
本発明は、冷媒回収管理システムに対して、広く適用可能である。
【符号の説明】
【０１０２】
１０    回収サーバ
１１    依頼作成部（第１作成部）
１２    報告作成部（第２作成部）
２０    処理サーバ
３０    管理サーバ
３１    整合判断部
３２    資金割当部（第１割当部）
３３    対価割当部（第２割当部）
１００  冷媒回収管理システム
【先行技術文献】
【特許文献】
【０１０３】
【特許文献１】特開２０１７−７２２８４号公報
【図１】
2019111877.tif 000003
【図２】
2019111877.tif 000004
【図３】
2019111877.tif 000005
【図４】
2019111877.tif 000006
【図５】
2019111877.tif 000007
【図６】
2019111877.tif 000008
【図７】
2019111877.tif 000009
【図８】
2019111877.tif 000010
【国際調査報告】
2019111877.tif 000011
2019111877.tif 000012
2019111877.tif 000013
2019111877.tif 000014